【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
景品取得ゲーム装置において、投入金額を検出するステップと、ゲーム開始前に前記投入金額が所定金に達しているかを判定するステップと、景品が取得できたかを判定するステップと、投入金額にみあうプレイ回数のゲーム終了を検出するステップと、前記所定金額が一括投入され、景品が取得できていないことをと検出するステップと、該所定金額投入と景品未取得の場合にプレイ回数を追加するステップと、該プレイ回数の追加してゲームを行ない景品が取得できたことを条件にゲームを終了するステップと、
を有することを特徴とする景品取得ゲーム装置のプレイ回数設定方法。
【請求項２】
請求項１記載の前記プレイ回数の追加ステップに対し、所定の制限時間内のみ有効とし、制限時間外は無効とする制限時間のステップと、
を有することを特徴とする景品取得ゲーム装置のプレイ回数設定方法。
【請求項３】
景品取得ゲーム装置において、投入された金額を検出する投入金額検出ステップと、該投入金額検出ステップで検出された金額が所定のプレイ回数に対応する金額であるかを判定する所定金額判定ステップと、所定金額判定ステップで所定金額と判定された場合に最初のゲーム開始を機に所定時間を計時するステップと、前記所定のプレイ回数の景品取得ゲームを終えたことを検出するステップと、該ゲームが終えたことを検出した時点で前記計時ステップでの計時時間が所定時間内かを判定するステップと、該所定時間内かを判定するステップで所定時間内であると判定された場合にプレイ回数を追加するステップと、
を有することを特徴とする景品取得ゲーム装置のプレイ回数設定方法。
【請求項４】
景品取得ゲーム装置において、投入された金額を検出する投入金額検出ステップと、該投入金額検出ステップで検出された金額に対応するプレイ回数を表示するステップと、該プレイ回数分の景品取得ゲームを終えたことを検出するステップと、該プレイ回数分の景品取得ゲームが終了した時点から所定時間内に投入される金額を検出するステップと、該景品取得ゲームが終了した時点から所定時間内に投入金額がある場合に継続係数を計数するステップと、該継続計数が所定回数に達した場合にプレイ回数を追加するステップと、
を有することを特徴とする景品取得ゲーム装置のプレイ回数設定方法。
【請求項５】
景品取得ゲーム装置において、予め定められた所定金額を一括投入したことを検出する所定金額検出手段と、
景品が取得できたかどうかを検出する景品取得検出手段と、
該所定金額にみあうプレイ回数分の景品取得ゲームを終了したことを検出するゲーム終了検出手段と、
該ゲーム終了検出手段がゲーム終了を検出した際に、前記景品取得検出手段の検出結果が景品を未取得であればゲームを続行させるプレイ続行手段と、
プレイ続行手段実行中に景品取得検出手段が景品取得を検出するとゲームを終了とするゲーム終了手段と、
を有することを特徴とする景品ゲーム装置のプレイ回数設定システム。
【請求項６】
請求項５記載のプレイ続行手段は所定の制限時間内のみ有効とする制限時間設定手段を有することを特徴とする景品取得ゲーム装置のプレイ回数設定システム。
【請求項７】
景品取得ゲーム装置において、ゲーム開始前に所定のプレイ回数に対応する金額を投入したことを検出する金額検出手段と、最初のゲームを開始してから所定時間内に前記所定のプレイ回数の景品取得ゲームを終えたこと検出する所定プレイ回数終了検出手段と、前記所定プレイ回数終了検出手段により所定回数のプレイを終えた場合にプレイ回数を追加するプレイ回数追加手段と
を備えたことを特徴とする景品取得ゲーム装置のプレイ回数設定システム。
【請求項８】
景品取得ゲーム装置において、
１プレイ分に対応する金額を投入して景品取得ゲームを行ないゲーム終了したことを検出するゲーム終了検出手段と、
該ゲーム終了時から所定時間を計時する時間計時手段と、
該時間計時手段の計時時間内にさらに１プレイ分に対応する金額を投入したことを検出する投入金検出手段と、
該投入金検出手段の検出により継続係数を計数する継続係数計数手段と、
前記景品取得ゲームを繰り返すことで前記継続係数が所定数に達したことを検出する所定数検出手段と、
該所定数検出手段の検出が所定数に達した場合に、プレイ回数を追加する手段と
を備えたことを特徴とする景品取得ゲーム装置のプレイ回数設定システム。
【手続補正２】
【補正対象書類名】明細書
【補正対象項目名】０００９
【補正方法】変更
【補正の内容】
【０００９】
本願発明は上記課題を解決するために、景品取得ゲーム装置において、投入金額を検出するステップと、ゲーム開始前に前記投入金額が所定金に達しているかを判定するステップと、景品が取得できたかを判定するステップと、投入金額にみあうプレイ回数のゲーム終了を検出するステップと、前記所定金額が一括投入され、景品が取得できていないことをと検出するステップと、該所定金額投入と景品未取得の場合にプレイ回数を追加するステップと、該プレイ回数を追加してゲームを行ない景品が取得できたことを条件にゲームを終了するステップと、を有する景品取得ゲーム装置のプレイ回数設定方法としてある。
【手続補正３】
【補正対象書類名】明細書
【補正対象項目名】００１０
【補正方法】変更
【補正の内容】
【００１０】
これにより、プレイヤーは所定金額を投入し、所定金額分にみあう景品取得ゲームを行なっても景品を取れない場合に、景品が取れるまでプレイ回数が追加される。
【手続補正４】
【補正対象書類名】明細書
【補正対象項目名】００１１
【補正方法】変更
【補正の内容】
【００１１】
本願発明は上記課題を解決するために、上記発明記載の前記プレイ回数の追加ステップに対し、所定の制限時間内のみ有効とし、制限時間外は無効とする制限時間のステップと、を有する景品取得ゲーム装置のプレイ回数設定方法としてある。
これにより、制限時間を設けることで、無制限にプレイ回数が追加されることを防ぐのである。
【手続補正５】
【補正対象書類名】明細書
【補正対象項目名】００１２
【補正方法】変更
【補正の内容】
【００１２】
本願発明は上記課題を解決するために、景品取得ゲーム装置において、投入された金額を検出する投入金額検出ステップと、該投入金額検出ステップで検出された金額が所定のプレイ回数に対応する金額であるかを判定する所定金額判定ステップと、所定金額判定ステップで所定金額と判定された場合に最初のゲーム開始を機に所定時間を計時するステップと、前記所定のプレイ回数の景品取得ゲームを終えたことを検出するステップと、該ゲームが終えたことを検出した時点で前記計時ステップでの計時時間が所定時間内かを判定するステップと、該所定時間内かを判定するステップで所定時間内であると判定された場合にプレイ回数を追加するステップと、を有する景品取得ゲーム装置のプレイ回数設定方法としてある。
【手続補正６】
【補正対象書類名】明細書
【補正対象項目名】００１３
【補正方法】変更
【補正の内容】
【００１３】
これにより、プレイヤーは所定回数分の金額を投入しておき、最初のプレイ開始から所定時間内に所定回数分のプレイを終了することで、プレイ回数の追加がなされる。
【手続補正７】
【補正対象書類名】明細書
【補正対象項目名】００１４
【補正方法】変更
【補正の内容】
【００１４】
本願発明は上記課題を解決するために、景品取得ゲーム装置において、投入された金額を検出する投入金額検出ステップと、該投入金額検出ステップで検出された金額に対応するプレイ回数を表示するステップと、該プレイ回数分の景品取得ゲームを終えたことを検出するステップと、該プレイ回数分の景品取得ゲームが終了した時点から所定時間内に投入される金額を検出するステップと、該景品取得ゲームが終了した時点から所定時間内に投入金額がある場合に継続係数を計数するステップと、該継続計数が所定回数に達した場合にプレイ回数を追加するステップと、を有するプレイ回数設定方法としてある。
【手続補正８】
【補正対象書類名】明細書
【補正対象項目名】００１５
【補正方法】変更
【補正の内容】
【００１５】
これにより、プレイヤーは、プレイ終了後に所定時間以内にプレイ金額を投入してプレイすることを継続して行なうことで、所定回数プレイすることで、プレイ回数の追加がなされる。
【手続補正９】
【補正対象書類名】明細書
【補正対象項目名】００１６
【補正方法】変更
【補正の内容】
【００１６】
本願発明は上記課題を解決するために、景品取得ゲーム装置において、予め定められた所定金額を一括投入したことを検出する所定金額検出手段と、景品が取得できたかどうかを検出する景品取得検出手段と、該所定金額にみあうプレイ回数分の景品取得ゲームを終了したことを検出するゲーム終了検出手段と、該ゲーム終了検出手段がゲーム終了を検出した際に、前記景品取得検出手段の検出結果が景品を未取得であればゲームを続行させるプレイ続行手段と、プレイ続行手段実行中に景品取得検出手段が景品取得を検出するとゲームを終了とするゲーム終了手段と、を有する景品ゲーム装置のプレイ回数設定システムとしてある。
【手続補正１０】
【補正対象書類名】明細書
【補正対象項目名】００１７
【補正方法】変更
【補正の内容】
【００１７】
これにより、プレイヤーは所定金額を投入し、所定金額分にみあう景品取得ゲームを行なっても景品を取れない場合に、景品が取れるまでプレイ回数が追加されるプレイ回数設定システムを得ている。
【手続補正１１】
【補正対象書類名】明細書
【補正対象項目名】００１８
【補正方法】変更
【補正の内容】
【００１８】
本願発明は上記課題を解決するために、上記発明記載のプレイ続行手段は所定の制限時間内のみ有効とする制限時間設定手段を有する景品取得ゲーム装置のプレイ回数設定システムとしてある。
これにより、制限時間を設けることで、無制限にプレイ回数が追加されることを防ぐプレイ回数設定システムを得ている。
【手続補正１２】
【補正対象書類名】明細書
【補正対象項目名】００１９
【補正方法】変更
【補正の内容】
【００１９】
本願発明は上記課題を解決するために、景品取得ゲーム装置において、ゲーム開始前に所定のプレイ回数に対応する金額を投入したことを検出する金額検出手段と、最初のゲームを開始してから所定時間内に前記所定のプレイ回数の景品取得ゲームを終えたこと検出する所定プレイ回数終了検出手段と、前記所定プレイ回数終了検出手段により所定回数のプレイを終えた場合にプレイ回数を追加するプレイ回数追加手段と
を備えた景品取得ゲーム装置のプレイ回数設定システムとしてある。
これにより、プレイヤーは所定回数分の金額を投入しておき、最初のプレイ開始から所定時間内に所定回数分のプレイを終了することで、プレイ回数の追加がなされるプレイ回数設定システムを得るのである。
【手続補正１３】
【補正対象書類名】明細書
【補正対象項目名】００２０
【補正方法】変更
【補正の内容】
【００２０】
本願発明は上記課題を解決するために、景品取得ゲーム装置において、１プレイ分に対応する金額を投入して景品取得ゲームを行ないゲーム終了したことを検出するゲーム終了検出手段と、該ゲーム終了時から所定時間を計時する時間計時手段と、該時間計時手段の計時時間内にさらに１プレイ分に対応する金額を投入したことを検出する投入金検出手段と、該投入金検出手段の検出により継続係数を計数する継続係数計数手段と、
前記景品取得ゲームを繰り返すことで前記継続係数が所定数に達したことを検出する所定数検出手段と、該所定数検出手段の検出が所定数に達した場合に、プレイ回数を追加する手段と、を備えた景品取得ゲーム装置のプレイ回数設定システムとしてある。
【手続補正１４】
【補正対象書類名】明細書
【補正対象項目名】００２１
【補正方法】変更
【補正の内容】
【００２１】
これにより、プレイヤーは所定金額を投入し、所定金額分にみあう景品取得ゲームを行なっても景品を取れない場合に、景品が取れるまでプレイ回数が追加されるプレイ回数設定システムを得ている。